(57)【特許請求の範囲】
【請求項１】
ほぼ板状の配置対象物にほぼ平行に配置されるそれぞれほぼ板状の第１、第２の接続対象物を電気的に接続するコネクタであって、
前記配置対象物の板厚方向で前記第１の接続対象物と連結する第１連結部と、前記板厚方向で前記第２の接続対象物と連結する第２連結部とを有するハウジングと、
このハウジングに保持され、前記第１連結部に連結された第１の接続対象物と前記第２連結部に連結された第２の接続対象物とを導通させるコンタクトとを備え、
前記ハウジングは、前記第１、第２連結部を有するハウジング本体と、このハウジング本体に設けられ、前記配置対象物に設けられた被係合部と係合する係合部とを有し、
前記被係合部は孔であり、前記係合部は前記孔と係合する弾性を有するフックであり、
前記ハウジング本体は、第１ハウジング本体構成部材と、これと分離独立した第２ハウジング本体構成部材とで構成され、
前記フックは、前記板厚方向と直交する方向へ弾性変形可能であり、
前記第１、第２ハウジング本体構成部材は、前記孔に前記フックとともに挿入され、前記フックの弾性変形を制限する突起部を有し、
前記コンタクトは、前記第１、第２ハウジング本体構成部材を連結するとともに、前記第１、第２の接続対象物間の相対的なずれを吸収する伸縮部を有する
ことを特徴とするコネクタ。
【請求項２】
前記第１、第２連結部は、前記第１、第２接続対象物を同一仮想平面上に配置する
ことを特徴とする請求項１記載のコネクタ。
【発明の詳細な説明】
【技術分野】
【０００１】
この発明はコネクタに関する。
【背景技術】
【０００２】
従来、第１のフレキシブル基板に実装された第１のレセプタクル（第１の接続対象物）と第２のフレキシブル基板に実装された第２のレセプタクル（第２の接続対象物）とを接続するプラグ（コネクタ）が知られている（下記特許文献１参照）。
【０００３】
プラグはプラグ本体とジャンパーリードとを有する。
【０００４】
プラグ本体は第１の溝部領域と第２の溝部領域と一対の連結側部とを有する。第１の溝部領域は第１のレセプタクルに連結される領域であり、この領域には複数の溝部が形成されている。第２の溝部領域は第２のレセプタクルに連結される領域であり、この領域には複数の溝部が形成されている。一対の連結側部は可撓性を有し、第１の溝部領域と第２の溝部領域とを連結する。
【０００５】
ジャンパーリードはほぼ帯状の金属薄板であり、その両端部には脚部が形成されている。ジャンパーリードの一端部の脚部は第１の溝部領域の溝部に挿入され、その脚部の先端部は溝部から突出していると認められる。ジャンパーリードの他端部の脚部は第２の溝部領域の溝部に挿入され、その脚部の先端部も溝部から突出していると認められる。
【０００６】
プラグは所定位置に配置された第１、第２レセプタクルに覆いかぶさるようにして第１、第２レセプタクルに嵌合する。このとき、プラグのジャンパーリードの一端部の脚部の先端部は第１のレセプタクルの溝部に挿入され、第１のレセプタクルの端子に接触し、プラグのジャンパーリードの他端部の脚部の先端部は第２のレセプタクルの溝部に挿入され、第２のレセプタクルの端子に接触する。その結果、プラグによって第１のレセプタクルと第２のレセプタクルとが接続される。
【特許文献１】特開２００３−１００３９４号公報
【発明の開示】
【発明が解決しようとする課題】
【０００７】
上述のプラグで第１のレセプタクルと第２のレセプタクルとを接続するとき、第１、第２のフレキシブル基板をシャーシ、筐体等の配置対象物上に配置し、第１、第２のフレキシブル基板に実装された第１、第２のレセプタクルにプラグを嵌合させる。
【０００８】
これに対し、フレキシブル基板のレセプタクルが実装された領域の裏側の領域を電子部品の実装領域として利用したい場合がある。例えば基板のレセプタクルが実装された面の反対面全体にＬＥＤを配置する場合である。
【０００９】
この場合、プラグはシャーシ、筐体等の配置対象物上に配置され、第１、第２フレキシブル基板はプラグの配置対象物側面と反対側面に配置される。すなわち、プラグは配置対象物と第１、第２フレキシブル基板との間に配置されることになる。
【００１０】
しかし、プラグは配置対象物に固定されてないので、プラグに第１、第２フレキシブル基板を接続するとき、配置対象物上でプラグが動くことがあり、接続作業を容易に行うことができなかった。
【００１１】
この発明はこのような事情に鑑みてなされたもので、その課題は、第１、第２接続対象物との接続作業を簡単に行うことができるコネクタを提供することである。
【課題を解決するための手段】
【００１２】
前述の課題を解決するため請求項１の発明のコネクタは、ほぼ板状の配置対象物にほぼ平行に配置されるそれぞれほぼ板状の第１、第２の接続対象物を電気的に接続するコネクタであって、前記配置対象物の板厚方向で前記第１の接続対象物と連結する第１連結部と、前記板厚方向で前記第２の接続対象物と連結する第２連結部とを有するハウジングと、このハウジングに保持され、前記第１連結部に連結された第１の接続対象物と前記第２連結部に連結された第２の接続対象物とを導通させるコンタクトとを備え、前記ハウジングは、前記第１、第２連結部を有するハウジング本体と、このハウジング本体に設けられ、前記配置対象物に設けられた被係合部と係合する係合部とを有し、前記被係合部は孔であり、前記係合部は前記孔と係合する弾性を有するフックであり、前記ハウジング本体は、第１ハウジング本体構成部材と、これと分離独立した第２ハウジング本体構成部材とで構成され、前記フックは、前記板厚方向と直交する方向へ弾性変形可能であり、前記第１、第２ハウジング本体構成部材は、前記孔に前記フックとともに挿入され、前記フックの弾性変形を制限する突起部を有し、前記コンタクトは、前記第１、第２ハウジング本体構成部材を連結するとともに、前記第１、第２の接続対象物間の相対的なずれを吸収する伸縮部を有することを特徴とする。
【００１３】
上述のように、ハウジングは、第１、第２連結部を有するハウジング本体と、このハウジング本体に設けられ、配置対象物に設けられた被係合部と係合する係合部とを有するので、ハウジングを配置対象物に固定でき、第１、第２連結部との連結接続作業時にコネクタが動かない。
【００１４】
請求項２の発明は、請求項１記載のコネクタにおいて、前記第１、第２連結部は、前記第１、第２接続対象物を同一仮想平面上に配置することを特徴とする。
【発明の効果】
【００１７】
この発明によれば、第１、第２接続対象物に対する接続作業を簡単に行うことができる。
【発明を実施するための最良の形態】
【００１８】
以下、この発明の実施の形態を図面に基づいて説明する。この発明の実施の形態を説明する前に、図１〜図１２に基づいてこの発明の基礎となった発明の実施例（以下、参考例という）を説明する。
【００１９】
図１は参考例の中継コネクタの斜視図、図２は図１に示す中継コネクタの分解斜視図、図３は図１に示す中継コネクタの断面図である。
【００２０】
図１〜３に示すように、中継コネクタ（コネクタ）１はハウジング３とコンタクト５とを備える。
【００２１】
ハウジング３はハウジング本体３１とフック（係合部）３３と突起部３５とで構成されている。
【００２２】
ハウジング本体３１は第１受容部（第１連結部）３１１と第２受容部（第２連結部）３１２と固定部３１３とを有する。
【００２３】
第１受容部３１１はほぼ筐体状であり、後述する第１のプラグコネクタ８０を受け容れることによって第１のプラグコネクタ８０と連結される部分である。
【００２４】
第２受容部３１２はほぼ筐体状であり、後述する第２のプラグコネクタ８０´を受け容れることによって第２のプラグコネクタ８０´と連結される部分である。
【００２５】
固定部３１３はほぼ直方体状であり、第１受容部３１１と第２受容部３１２とを連結する。
【００２６】
ハウジング本体３１には複数のコンタクト収容溝３１５がハウジング３の長手方向Ｌに沿って等間隔に形成されている。コンタクト収容溝３１５は横溝部３１５ａと縦溝部３１５ｂと縦溝部３１５ｃとを有する。横溝部３１５ａは第１、第２受容部３１１，３１２及び固定部３１３の底面に配置され、ハウジング３の幅方向Ｗへ延びている。縦溝部３１５ｃは第１受容部３１１の内周面３１１ａに配置され、ハウジング３の高さ方向Ｈへ延びている。縦溝部３１５ｂは第２受容部３１２の内周面３１２ａに配置され、ハウジング３の高さ方向Ｈへ延びている。
【００２７】
固定部３１３には複数の圧入孔３１７，３１８が固定部３１３の長手方向Ｌに沿って等間隔に形成されている。圧入孔３１７，３１８はハウジング３の高さ方向Ｈに延びている。圧入孔３１７，３１８はコンタクト収容溝３１５の横溝部３１５ａに通じている。
【００２８】
フック３３は第１受容部３１１の両端部の下面及び第２受容部３１２の両端部の下面にそれぞれ設けられている。フック３３はアーム部３３ａと爪部３３ｂとを有する。アーム部３３ａは薄板状であり、弾性を有する。爪部３３ｂはアーム部３３ａの下端に結合されている。爪部３３ｂの断面形状はほぼ三角形である。
【００２９】
突起部３５は第１受容部３１１の両端部の下面及び第２受容部３１２の両端部の下面にそれぞれフック３３に隣接するように設けられている。突起部３５は板状であり、フック３３が過度に弾性変形しないようにフック３３の弾性変形を制限する。
【００３０】
コンタクト５は第１接触部５１と第２接触部５２と連結部５３と第１圧入部５４と第２圧入部５５とを有する。
【００３１】
第１接触部５１は板状であり、コンタクト収容溝３１５の縦溝３１５ｃに配置される。第１接触部５１の接触面５１ａは縦溝部３１５ｃから突出し、後述する第１のプラグコネクタ８０に接触する。
【００３２】
第２接触部５２は板状であり、コンタクト収容溝３１５の縦溝部３１５ｂに配置される。第２接触部５２の接触面５２ａは縦溝３１５ｂから突出し、後述する第２のプラグコネクタ８０´に接触する。
【００３３】
連結部５３は板状であり、第１接触部５１と第２接触部５２とを連結し、コンタクト収容溝３１５の横溝部３１５ａに配置される。
【００３４】
第１、第２圧入部５４，５５はそれぞれ板状であり、連結部５３に連結され、圧入孔３１７，３１８に圧入される。第１、第２圧入部５４，５５が圧入孔３１７，３１８に圧入されることによってコンタクト５はハウジング３に保持される。
【００３５】
図４は図１に示す中継コネクタをシャーシに固定する前の状態を示す斜視図、図５は図１に示す中継コネクタをシャーシに固定した後の状態を示す斜視図、図６は図５のVI−VI線に沿う断面図である。
【００３６】
図４に示すように、後述するプリント基板９，９´の配置対象物であるシャーシ７には、中継コネクタ１の下部を収容する凹部７１が形成されている。凹部７１の底面の四隅には４つの孔（被係合部）７２が形成されている。孔７２にはフック３３及び突起部３５が挿入される。孔７２の幅はフック３３及び突起部３５の幅よりも広く、ハウジング３の幅方向Ｗで孔７２とフック３３及び突起部３５との間には隙間が生じる。これにより、中継コネクタ１は幅方向Ｗへシャーシ７上を少し移動することができる。
【００３７】
中継コネクタ１をシャーシ７に固定するには、図４に示すように、フック３３及び突起部３５が孔７２の上方に位置するように中継コネクタ１を位置決めし、その後、中継コネクタ１を降ろしてフック３３及び突起部３５を孔７２に挿入する。
【００３８】
その結果、図５、６に示すように、フック３３の爪部３３ｂは孔７２の周縁部に引っ掛かり、中継コネクタ１がシャーシ７に固定される。
【００３９】
このとき、ハウジング３の長手方向Ｌでフック３３のアーム部３３ａは孔７２の内周面に接触するが、突起部３５と孔７２の内周面との間には隙間が生じる。これにより、中継コネクタ１は長手方向Ｌへもシャーシ７上を少し移動することができる。
【００４０】
図７は図１に示す中継コネクタに接続されるプラグコネクタの斜視図、図８は図７に示すプラグコネクタの分解斜視図、図９は図７に示すプラグコネクタをプリント基板に実装した状態を示す斜視図である。
【００４１】
図７〜９に示すように、第１のプラグコネクタ（第１の接続対象物）８０はハウジング８２とコンタクト８４とを備える。
【００４２】
ハウジング８２はハウジング本体８２１と一対の脚部８２２，８２３とを有する。ハウジング本体８２１は直方体状である。脚部８２２，８２３はハウジング本体８２１の底部に連結されている。ハウジング８２にはその長手方向に沿って複数のコンタクト収容空間８２４が等間隔に形成されている。
【００４３】
コンタクト８４は接触部８４１とばね部８４２と圧入部８４３と端子部８４４とを有する。接触部８４１はコンタクト５の第１接触部５１と接触する。ばね部８４２は接触部８４１に連結されている。ばね部８４２は接触部８４１を第１接触部５１に押し付ける。圧入部８４３はばね部８４２に連結され、ハウジング８２に圧入される。圧入部８４３のハウジング８２への圧入により、コンタクト８４はハウジング８２に固定される。端子部８４４は圧入部８４３に連結されている。
【００４４】
コンタクト８４はハウジング８２のコンタクト収容空間８２４に収容される。接触部８４１及び端子部８４４は収容空間８２４から突出する。
【００４５】
ハウジング８２の脚部８２３の両端部には固定片８６が圧入されている。
【００４６】
第１プラグコネクタ８０の端子部８４４及び固定片８６をプリント基板９のパッド（図示せず）に半田付けすることによって、第１のプラグコネクタ８０は図９に示すように、プリント基板９に実装される。
【００４７】
第２プラグコネクタ８０´は第１プラグコネクタ８０と同様の構成であるので、第１プラグコネクタ８０と同じ符号を付して説明を省略する。
【００４８】
図１０は図１に示す中継コネクタにプラグコネクタを接続する前の状態の斜視図、図１１は図１に示す中継コネクタにプラグコネクタを接続した後の状態を示す斜視図、図１２は図１に示す中継コネクタにプラグコネクタを接続した後の状態を示す断面図である。
【００４９】
第１のプリント基板９に実装された第１プラグコネクタ８０と第２のプリント基板９´に実装された第２のプラグコネクタ８０´とを中継コネクタ１に接続するには、図１０に示すように、予め中継コネクタ１をシャーシ７に固定しておく。
【００５０】
次に、第１、第２プラグコネクタ８０，８０´をそれぞれ中継コネクタ１の第１、第２受容部３１１，３１２の上方に配置する。
【００５１】
その後、図１１に示すように、第１、第２プラグコネクタ８０，８０´を中継コネクタ１の第１、第２受容部３１１，３１２に挿入する。
【００５２】
このとき、中継コネクタ１はシャーシ７に固定されているので、中継コネクタ１への第１、第２プラグコネクタ８０，８０´の接続作業を容易に行える。
【００５３】
また、中継コネクタ１はシャーシ７上を少し移動できるので、第１、第２プラグコネクタ８０，８０´の中継コネクタ１に対する位置ずれが吸収される。
【００５４】
第１、第２プラグコネクタ８０，８０´が中継コネクタ１の第１、第２受容部３１１，３１２に挿入されると、図１２に示すように、コンタクト５が第１、第２のプラグコネクタ８０，８０´のコンタクト８４，８４に接触し、中継コネクタ１及び第１、第２プラグコネクタ８０，８０´を介して第１のプリント基板９と第２のプリント基板９´とが電気的に接続される。
【００５５】
この参考例によれば、中継コネクタ１に第１、第２プラグコネクタ８０，８０´を簡単に接続することができる。
【００５６】
また、第１、第２プラグコネクタ８０，８０´の中継コネクタ１に対する位置ずれを吸収することができる。
【００５７】
更に、中継コネクタ１をシャーシ７に固定すると、シャーシ７が中継コネクタ１の補強板の役目をするので、中継コネクタ１の強度が高まる。
【００５８】
図１３はこの発明の第１実施形態の中継コネクタの斜視図、図１４は図１３に示す中継コネクタの断面図、図１５は図１３に示す中継コネクタの断面図である。
【００５９】
参考例と共通する部分については同一符号を付してその説明を省略する。以下、参考例との主な相違部分についてだけ説明する。
【００６０】
図１３〜１５に示すように、中継コネクタ（コネクタ）２０１はハウジング２０３とコンタクト２０５とを備える。
【００６１】
ハウジング２０３はハウジング本体２３１とフック（係合部）３３と突起部３５とで構成されている。
【００６２】
ハウジング本体２３１は第１ハウジング本体構成部材２３１Ａと第２ハウジング本体構成部材２３１Ｂとで構成されている。第１ハウジング本体構成部材２３１Ａと第２ハウジング本体構成部材２３１Ｂとは分離独立の関係を有する。
【００６３】
第１ハウジング本体構成部材２３１Ａは第１受容部（第１連結部）２３１１と第１固定部２３１３とを有する。
【００６４】
第１受容部２３１１はほぼ筐体状であり、第１のプラグコネクタ８０を受け容れることによって第１のプラグコネクタ８０と連結される部分である。
【００６５】
第１固定部２３１３はほぼ直方体状であり、第１受容部２３１１の側部に形成されている。
【００６６】
第１ハウジング本体構成部材２３１Ａには複数のコンタクト収容溝２３１５がハウジング２０３の長手方向Ｌに沿って等間隔に形成されている。コンタクト収容溝２３１５は横溝部２３１５ａと縦溝部２３１５ｂと縦溝部２３１５ｃを有する（図１５参照）。横溝部２３１５ａは第１ハウジング本体構成部材２３１Ａの底面に配置され、ハウジング３の幅方向Ｗへ延びている。縦溝部２３１５ｂは第１受容部２３１１の内周面２３１１ａに配置され、ハウジング２０３の高さ方向Ｈへ延びている。縦溝部２３１５ｃは第１固定部２３１３の後述する第２固定部２３１４に対向する面に配置され、ハウジング２０３の高さ方向Ｈへ延びている。
【００６７】
第１固定部２３１３には複数の圧入孔２３１７がハウジング２０３の長手方向Ｌに沿って等間隔に形成されている。圧入孔２３１７はハウジング２０３の高さ方向Ｈに延びている。圧入孔２３１７はコンタクト収容溝２３１５の横溝部２３１５ａに通じている。
【００６８】
第２ハウジング本体構成部材２３１Ｂは第２受容部（第２連結部）２３１２と第２固定部２３１４とを有する。
【００６９】
第２受容部２３１２はほぼ筐体状であり、第２のプラグコネクタ８０´を受け容れることによって第２のプラグコネクタ８０´と連結される部分である。
【００７０】
第２固定部２３１４はほぼ直方体状であり、第２受容部２３１２の側部に形成されている。
【００７１】
第２ハウジング本体構成部材２３１Ｂには複数のコンタクト収容溝２３１６がハウジング２０３の長手方向Ｌに沿って等間隔に形成されている。コンタクト収容溝２３１６は横溝部２３１６ａと縦溝部２３１６ｂと縦溝部２３１６ｃを有する（図１５参照）。横溝部２３１６ａは第２ハウジング本体構成部材２３１Ｂの底面に配置され、ハウジング２０３の幅方向Ｗへ延びている。縦溝部２３１６ｂは第２受容部２３１２の内周面２３１２ａに配置され、ハウジング２０３の高さ方向Ｈへ延びている。縦溝部２３１６ｃは第２固定部２３１４の第１固定部２３１３に対向する面に配置され、ハウジング２０３の高さ方向Ｈへ延びている。
【００７２】
第２固定部２３１４には複数の圧入孔２３１８がハウジング２０３の長手方向Ｌに沿って等間隔に形成されている。圧入孔２３１８はハウジング２０３の高さ方向Ｈに延びている。圧入孔２３１８はコンタクト収容溝２３１６の横溝部２３１６ａに通じている。
【００７３】
コンタクト２０５は第１接触部２５１と第２接触部２５２と連結部２５３と第１圧入部２５４と第２圧入部２５５とを有する。
【００７４】
第１接触部２５１は板状であり、コンタクト収容溝２３１５の縦溝部２３１５ｂに配置される。第１接触部２５１の接触面２５１ａは縦溝部２３１５ｂから突出し、第１のプラグコネクタ８０に接触する。
【００７５】
第２接触部２５２は板状であり、コンタクト収容溝２３１６の縦溝部２３１６ｂに配置される。第２接触部２５２の接触面２５２ａは縦溝部２３１６ｂから突出し、第２のプラグコネクタ８０´に接触する。
【００７６】
連結部２５３は板状であり、第１接触部２５１と第２接触部２５２とを連結する。連結部２５３はほぼＵ字状に湾曲する伸縮部２５３ａを有する。伸縮部２５３ａは第１、第２ハウジング本体構成部材２３１Ａ，２３１Ｂを連結するとともに、第１、第２のプラグコネクタ８０，８０´間の相対的なずれを吸収する。伸縮部２５３ａを除き、連結部２５３はコンタクト収容溝２３１５，２３１６の横溝部２３１５ａ，２３１６ａに配置される。伸縮部２５３ａはコンタクト収容溝２３１５，２３１６の縦溝部２３１５ｃ，２３１６ｃに弾性変形可能に配置される。
【００７７】
第１、第２圧入部２５４，２５５はそれぞれ連結部２５３に連結され、圧入孔２３１７，２３１８に圧入される。第１、第２圧入部２５４、２５５が圧入孔２３１７，２３１８に圧入されることによってコンタクト２０５は第１、第２ハウジング本体構成部材２３１Ａ，２３１Ｂに保持される。
【００７８】
図１６は図１３に示す中継コネクタをシャーシに固定する前の状態を示す斜視図、図１７は図１３に示す中継コネクタをシャーシに固定した後の状態を示す断面図である。
【００７９】
中継コネクタ２０１をシャーシ７に固定するには、図１６に示すように、フック３３及び突起部３５が孔７２の上方に位置するように中継コネクタ２０１を位置決めし、その後、中継コネクタ２０１のフック３３及び突起部３５を孔７２に挿入する。
【００８０】
その結果、図１７に示すように、フック３３の爪部３３ｂが孔７２の周縁部に係合し、中継コネクタ２０１がシャーシ７に固定される。
【００８１】
このとき、フック３３のアーム部３３ａは孔７２の内周面に接触するが、突起部３５と孔７２の内周面との間には隙間が生じる。したがって、その隙間の分だけ中継コネクタ２０１はシャーシ７上を移動することができる。第１ハウジング本体構成部材２３１Ａと第２ハウジング本体構成部材２３１Ｂとはコンタクト２０５の伸縮部２５３ａで連結されているので別々に動ける。
【００８２】
図１８は図１７に示す中継コネクタにプラグコネクタを接続した後の状態を示す斜視図、図１９は図１７に示す中継コネクタにプラグコネクタを接続した後の状態を示す斜視図である。
【００８３】
第１のプリント基板９に実装された第１プラグコネクタ８０と第２のプリント基板９´に実装された第２のプラグコネクタ８０´を中継コネクタ２０１に接続するには、予め中継コネクタ２０１をシャーシ７に固定しておく（図１７参照）。
【００８４】
次に、第１、第２プラグコネクタ８０，８０´をそれぞれ中継コネクタ２０１の第１、第２受容部２３１１，２３１２の上方に配置する（図１６参照）。
【００８５】
その後、図１８に示すように、第１、第２プラグコネクタ８０，８０´をそれぞれ中継コネクタ２０１の第１、第２受容部２３１１，２３１２に挿入する。
【００８６】
このとき、中継コネクタ２０１はシャーシ７に固定されているので、中継コネクタ２０１への第１、第２プラグコネクタ８０，８０´の接続作業を容易に行える。
【００８７】
また、第１、第２ハウジング本体構成部材２３１Ａ，２３１Ｂはそれぞれ独立してシャーシ７上を移動できるので、第１プラグコネクタ８０の第１ハウジング本体構成部材２３１Ａに対するずれ及び第２プラグコネクタ８０´の第２ハウジング本体構成部材２３１Ｂに対するずれがそれぞれ吸収される。
【００８８】
第１、第２のプラグコネクタ８０，８０´が中継コネクタ２０１の第１、第２受容部２３１１，２３１２に挿入されると、図１９に示すように、コンタクト２０５が第１、第２のプラグコネクタ８０，８０´のコンタクト８４，８４に接触し、中継コネクタ２０１及び第１、第２プラグコネクタ８０，８０´を介して第１のプリント基板９と第２のプリント基板９´とが電気的に接続される。
【００８９】
この実施形態によれば、参考例と同様の作用効果を奏するとともに、第１ハウジング本体構成部材２３１Ａと第２ハウジング本体構成部材２３１Ｂとがコンタクト２０５の伸縮部２３５ａによって連結されているので、第１、第２のプラグコネクタ８０，８０´の中継コネクタ２０１に対するより大きなずれを吸収できる。特に、プリント基板９の長手方向（ハウジング２０３の幅方向Ｗと平行な方向）における第１、第２のプラグコネクタ８０，８０´の中継コネクタ２０１に対するより大きなずれを吸収できる。
【００９０】
図２０はこの発明の第２実施形態の中継コネクタの斜視図、図２１は図２０に示す中継コネクタの分解斜視図、図２２は図２０に示す中継コネクタの断面図、図２３は図２０に示す中継コネクタをシャーシに固定する前の状態を示す斜視図、図２４は図２０に示す中継コネクタをシャーシに固定する前の状態を示す側面図、図２５は図２０に示す中継コネクタをシャーシに固定した後の状態を示す側面図、図２６は図２０に示す中継コネクタにプリント基板を固定する前の状態を示す断面図、図２７は図２０に示す中継コネクタに一方のプリント基板を接続した状態を示す斜視図、図２８は図２０に示す中継コネクタに両方のプリント基板を接続した状態を示す断面図である。
【００９１】
参考例、第１実施形態と共通する部分については同一符号を付してその説明を省略する。以下、参考例、第１実施形態との主な相違部分についてだけ説明する。
【００９２】
参考例、第１実施形態の中継コネクタ１，２０１は第１、第２のプラグコネクタ８０，８０´を介して第１、第２のプリント基板９，９´に接続されているが、この実施形態の中継コネクタ３１０１は第１のプリント基板１１１０と第２のプリント基板１１２０とに直接接続される。
【００９３】
図２０〜２２に示すように、コネクタ３１０１はハウジング３１０３とコンタクト３１３０，３１５０とを備える。
【００９４】
ハウジング３１０３はハウジング本体３１０４とフック（係止部）３３と突起３５とを有する。
【００９５】
ハウジング本体３１０４は第１のハウジング本体構成部材３１１０と第２のハウジング本体構成部材３１２０とで構成されている。
【００９６】
第１のハウジング本体構成部材３１１０は基盤部３１１１と複数の挿入部３１１２（第１連結部）と位置決め用凸部３１１３と側壁部３１１４とを有する。
【００９７】
基盤部３１１１はほぼ板状であり、第１のプリント基板（第１の接続対象物）１１１０の端部を支持する支持面３１１１ａを有する。
【００９８】
挿入部３１１２はほぼ円柱状であり、基盤部３１１１の支持面３１１１ａに形成されている。挿入部３１１２の先端部はほぼテーパー状に形成されている。挿入部３１１２は第１のハウジング本体構成部材３１１０の長手方向Ｌ１に沿って２列に等間隔に並んでいる。一方の列の挿入部３１１２と他方の列の挿入部３１１２とは長手方向Ｌ１へ半ピッチずれている。
【００９９】
位置決め用凸部３１１３は基盤部３１１１の支持面３１１１ａの両端部に形成されている。
【０１００】
側壁部３１１４は基盤部３１１１の支持面３１１１ａの周縁部に形成されている。
【０１０１】
第２のハウジング本体構成部材３１２０は第１のハウジング本体構成部材３１１０とほぼ同じ構成であり、基盤部３１２１と複数の挿入部３１２２（第２連結部）と位置決め用凸部３１２３と側壁部３１２４とを有する。
【０１０２】
基盤部３１２１はほぼ板状であり、第２のプリント基板（第２の接続対象物）１１２０の端子部を支持する支持面３１２１ａを有する。
【０１０３】
挿入部３１２２はほぼ円柱状であり、基盤部３１２１の支持面３１２１ａに形成されている。挿入部３１２２の先端部はほぼテーパー状に形成されている。挿入部３１２２は第１のハウジング本体構成部材３１２０の長手方向Ｌ２に沿って２列に等間隔に並んでいる。一方の列の挿入部３１２２と他方の列の挿入部３１２２とは長手方向Ｌ２へ半ピッチずれている。
【０１０４】
位置決め用凸部３１２３は基盤部３１２１の支持面３１２１ａの両端部に形成されている。
【０１０５】
側壁部３１２４は基盤部３１２１の支持面３１２１ａの周縁部に形成されている。
【０１０６】
コンタクト３１３０は金属板を打ち抜いて形成されている。コンタクト３１３０は第１の接触部３１３１と第２の接触部３１３２と第１のばね部３１３３と第２のばね部３１３４と連結部３１３５と圧入部３１３６，３１３７と圧入部３１３８，３１３９とを有する（図２２参照）。
【０１０７】
第１の接触部３１３１はほぼ三角形状である。第１の接触部３１３１は第１のプリント基板１１１０のスルーホール１１１１に接触する。
【０１０８】
第２の接触部３１３２はほぼ三角形状である。第２の接触部３１３２は第２のプリント基板１１２０のスルーホール１１２１に接触する。
【０１０９】
第１のばね部３１３３の一端は第１の接触部３１３１に連結され、第１のばね部３１３３の他端は連結部３１３５に連結されている。第１のばね部３１３３は第１の接触部３１３１をスルーホール１１１１に押し付ける。
【０１１０】
第２のばね部３１３４の一端は第２の接触部３１３２に連結され、第２のばね部３１３４の他端は連結部３１３５に連結されている。第２のばね部３１３４は第２の接触部３１３２をスルーホール１１２１に押し付ける。
【０１１１】
連結部３１３５は第１のハウジング本体構成部材３１１０から第２のハウジング本体構成部材３１２０まで延び、その中間位置よりも少し第２のばね部３１３４側の位置に湾曲部分（伸縮部）３１３５ａを有する。連結部３１３５は第１のハウジング本体構成部材３１１０と第２のハウジング本体構成部材３１２０との間に掛け渡され、第１のハウジング本体構成部材３１１０と第２のハウジング本体構成部材３１２０とを連結する。
【０１１２】
圧入部３１３６，３１３７は第１のばね部３１３１，３１３１を挟むように連結部３１３５の一端部に連結されている。圧入部３１３６，３１３７は第１のハウジング本体構成部材３１１０に圧入されている。
【０１１３】
圧入部３１３８，３１３９は第２のばね部３１３４，３１３４を挟むように連結部３１３５の他端部に連結されている。圧入部３１３８，３１３９は第２のハウジング本体構成部材３１２０に圧入されている。
【０１１４】
コンタクト３１５０は金属板を打ち抜いて形成されている。コンタクト３１５０はコンタクト３１３０と同じ形状で、同じ大きさであり、部品の共通化が図られている。但し、コンタクト３１３０，３１５０を第１、第２ハウジング本体構成部材３１１０，３１２０に圧入するときに表面（仮に打抜き加工時にダイスの方を向いていた面を表面とする）と裏面とを交互に入れ替える必要がある。コンタクト３１５０は第１の接触部３１５１と第２の接触部３１５２と第１のばね部３１５３と第２のばね部３１５４と連結部３１５５と圧入部３１５６，３１５７と圧入部３１５８，３１５９とを有する（図２１参照）。
【０１１５】
第１の接触部３１５１はほぼ三角形状である。第１の接触部３１５１は第１のプリント基板１１１０のスルーホール１１１１に接触する。
【０１１６】
第２の接触部３１５２はほぼ三角形状である。第２の接触部３１５２は第２のプリント基板１１２０のスルーホール１１２１に接触する。
【０１１７】
第１のばね部３１５３の一端は第１の接触部３１５１に連結され、第１のばね部３１５３の他端は連結部３１５５に連結されている。第１のばね部３１５３は第１の接触部３１５１をスルーホール１１１１に押し付ける。
【０１１８】
第２のばね部３１５４の一端は第２の接触部３１５２に連結され、第２のばね部３１５４の他端は連結部３１５５に連結されている。第２のばね部３１５４は第２の接触部３１５２をスルーホール１１２１に押し付ける。
【０１１９】
連結部３１５５は第１のハウジング本体構成部材３１１０から第２のハウジング本体構成部材３１２０まで延び、その中間位置よりも少し第１のばね部３１５３側の位置に湾曲部分（伸縮部）３１５５ａを有する。連結部３１５５は第１のハウジング本体構成部材３１１０と第２のハウジング本体構成部材３１２０との間に掛け渡され、第１のハウジング本体構成部材３１１０と第２のハウジング本体構成部材３１２０とを連結する。
【０１２０】
圧入部３１５６，３１５７は第１のばね部３１５１，３１５１を挟むように連結部３１３５の一端部に連結されている。圧入部３１５６，３１５７は第１のハウジング本体構成部材３１１０に圧入されている。
【０１２１】
圧入部３１５８，３１５９は第２のばね部３１５４，３１５４を挟むように連結部３１５５の他端部に連結されている。圧入部３１５８，３１５９は第２のハウジング本体構成部材３１２０に圧入されている。
【０１２２】
第１ハウジング本体構成部材３１１０は複数の収容空間３１１５，３１１６を有している。
【０１２３】
収容空間３１１５は挿入部３１１２と基盤部３１１１とに形成されている。収容空間３１１５は第１のハウジング本体構成部材３１１０の長手方向Ｌ１に沿って等間隔に並んでいる。収容空間３１１５のうち基盤部３１１１側の空間には、第１のばね部３１３３，３１５３が変形可能に収容されている。収容空間３１１５のうち第１の挿入部３１１２側の空間（収容部３１１５ａ）には第１の接触部３１３１，３１５１が変位可能に収容されている。第１の接触部３１３１，３１５１の一部は収容部３１１５ａの外へ突出している。
【０１２４】
収容空間３１１６は側壁部３１１４と基盤部３１１１とに形成されている。収容空間３１１６は第１のハウジング本体構成部材３１１０の長手方向Ｌ１に沿って等間隔に並んでいる。
【０１２５】
第２ハウジング本体構成部材３１２０は複数の収容空間３１２５，３１２６を有している。
【０１２６】
収容空間３１２５は挿入部３１２２と基盤部３１２１とに形成されている。収容空間３１２５は第２のハウジング本体構成部材３１２０の長手方向Ｌ２に沿って等間隔に並んでいる。収容空間３１２５のうち基盤部３１２１側の空間には、第２のばね部３１３４，３１５４が変形可能に収容されている。収容空間３１２５のうち第２の挿入部３１２２側の空間（収容部３１２５ａ）には第２の接触部３１３２，３１５２が変位可能に収容されている。第２の接触部３１３２，３１５２の一部は収容部３１２５ａの外へ突出している。
【０１２７】
収容空間３１２６は側壁部３１２４と基盤部３１２１とに形成されている。収容空間３１２６は第２のハウジング本体構成部材３１２０の長手方向Ｌ２に沿って等間隔に並んでいる。
【０１２８】
収容空間３１１６，３１２６には湾曲部分３１３５ａ，３１５５ａが変形可能に収容されている。収容空間３１１６，３１２６の長手方向Ｌ１，Ｌ２の大きさは湾曲部分３１３５ａ，３１５５ａの長手方向Ｌ１，Ｌ２の大きさよりも大きい。この結果、湾曲部分３１３５ａ，３１５５ａは第１のハウジング本体構成部材３１１０と第２のハウジング本体構成部材３１２０との間の長手方向Ｌ１，Ｌ２方向のずれを吸収することができる。
【０１２９】
第１のプリント基板１１１０のスルーホール１１１１には導電路１１１２が接続されている。また、第１のプリント基板１１１０には位置決め孔１１１３が形成されている。位置決め孔１１１３は位置決め用凸部３１１３を受け容れる。
【０１３０】
第２のプリント基板１１２０のスルーホール１１２１には導電路１１２２が接続されている。また、第２のプリント基板１１２０には位置決め孔１１２３が形成されている。位置決め孔１１２３は位置決め用凸部３１２３を受け容れる。
【０１３１】
コネクタ３０１を用いて第１のプリント基板１１１０と第２のプリント基板１１２０とを接続するには、予め中継コネクタ３１０１をシャーシ７に固定する。
【０１３２】
中継コネクタ３１０１をシャーシに固定するには、図２３，２４に示すように、フック３３及び突起部３５が孔７２の上方に位置するように中継コネクタ３１０１を位置決めし、その後、中継コネクタ３１０１を降ろしてフック３３及び突起部３５を孔７２に挿入する。
【０１３３】
その結果、図２５に示すように、フック３３の爪部３３ｂは孔７２の周縁部に引っ掛かり、中継コネクタ３１０１がシャーシ７に固定される。
【０１３４】
次に、図２６、２７に示すように、第２のプリント基板１１２０の位置決め孔１１２３を第２ハウジング本体構成部材３１２０の位置決め用凸部３１２３に合わせ、両方の位置決め孔１１２３に両方の位置決め用凸部３１２３がそれぞれ通るように第２のプリント基板１１２０を下ろす。位置決め孔１１２３と位置決め用凸部３１２３とで第２のプリント基板１１２０は第２のハウジング本体構成部材３１２０に位置決めされるので、全部の挿入部３１２２が全部のスルーホール１１２１に挿入され、収容部３１２５ａから突出する第２の接触部３１３２，３１５２がスルーホール１１２１に接触し、コンタクト３１３０，３１５０が第２のプリント基板１１２０に導通する。
【０１３５】
第１のプリント基板１１１０も同様にして第１のハウジング本体構成部材３１１０に装着され、図２８に示すように、コネクタ３１０１によって第１プリント基板１１１０と第２プリント基板１１２０とが電気的に接続される。
【０１３６】
位置決め孔１１２３に位置決め用凸部３１２３を通すために、第２のプリント基板１１２０を第２のハウジング本体構成部材３１２０の支持面３１２１ａに置くとき、第２のプリント基板１１２０が支持面３１２１ａに対して少し傾いていると、第２の接触部３１３２，３１５２は相対的に斜めにスルーホール１１２１に挿入され、スルーホール１１２１から第２の接触部３１３２，３１５２及び第２のばね部３１３４，３１５４を変形させようとする力が加わるが、その力の殆どは挿入部３１２２で受け止められ、第２の接触部３１３２，３１５２及び第２のばね部３１３４，３１５４が変形することはない。第１のハウジング本体構成部材３１１０においても同様の作用が生じる。
【０１３７】
このように、第１の接触部３１３１，３１５１は挿入部３１１２に、第２の接触部３１３２，３１５２は挿入部３１２２に保護されているので、コンタクト３１３０，３１５０の材質として強度の高いものを用いる必要がなく、柔軟性に富んだ材料を用いることができる。その結果、第１、第２の接触部３１３１，３１５１，３１３２，３１５２を容易にスルーホール１１１１，１１２１に挿入することが可能になる。
【０１３８】
以上のように、この実施形態によれば、参考例、第１実施形態と同様の作用効果を奏するとともに、コンタクト３１３０，３１５０のスルーホール１１１１，１１２１への挿入が容易であり、コンタクト３１３０，３１５０の変形を防止することができる。
【０１３９】
また、位置決め用凸部３１１３，３１２３を有するので、第１、第２のプリント基板１１１０，１１２０をコネクタ３１０１に装着した後、第１、第２のプリント基板１１１０，１１２０に引っ張る力等の外力が加わっても、その外力を位置決め用凸部３１１３，３１２３によって受け止めることができ、挿入部３１１２，３１２２等の破損を防止することができる。
【０１４０】
なお、上述の実施形態では、フック３３の弾性変形を制限する突起部３５を設けたが、突起部３５を設けなくても構わない。
【０１４１】
また、上述の実施形態では、係合部としてフック３３を採用し、被係合部として孔７２を採用したが、係合部はフック３３に限られず、被係合部も孔７２に限られない。
【０１４２】
なお、上述の実施形態では、第１、第２のプリント基板９，９´，１１１０，１１２０をシャーシ７に配置するようになっているが、第１、第２のプリント基板９，９´，１１１０，１１２０の配置対象物はシャーシ７に限られず、配置対象物が例えば、筐体等の場合もある。
【０１４３】
また、上述の実施形態では、中継コネクタ１，２０１，３１０１で第１、第２のプリント基板９，９´，１１１０，１１２０を中継するようになっているが、この発明はＦＦＣ（Ｆｌｅｘｉｂｌｅ  Ｆｌａｔ  Ｃａｂｌｅ）、ＦＰＣ（Ｆｌｅｘｉｂｌｅ  Ｐｒｉｎｔｅｄ  Ｃｉｒｃｕｉｔ）等にも適用することができる。
【図面の簡単な説明】
【０１４４】
【図１】図１は参考例の中継コネクタの斜視図である。
【図２】図２は図１に示す中継コネクタの分解斜視図である。
【図３】図３は図１に示す中継コネクタの断面図である。
【図４】図４は図１に示す中継コネクタをシャーシに固定する前の状態を示す斜視図である。
【図５】図５は図１に示す中継コネクタをシャーシに固定した後の状態を示す斜視図である。
【図６】図６は図５のVI−VI線に沿う断面図である。
【図７】図７は図１に示す中継コネクタに接続されるプラグコネクタの斜視図である。
【図８】図８は図７に示すプラグコネクタの分解斜視図である。
【図９】図９は図７に示すプラグコネクタをプリント基板に実装した状態を示す斜視図である。
【図１０】図１０は図１に示す中継コネクタにプラグコネクタを接続する前の状態の斜視図である。
【図１１】図１１は図１に示す中継コネクタにプラグコネクタを接続した後の状態を示す斜視図である。
【図１２】図１２は図１に示す中継コネクタにプラグコネクタを接続した後の状態を示す断面図である。
【図１３】図１３はこの発明の第１実施形態の中継コネクタの斜視図である。
【図１４】図１４は図１３に示す中継コネクタの断面図である。
【図１５】図１５は図１３に示す中継コネクタの断面図である。
【図１６】図１６は図１３に示す中継コネクタをシャーシに固定する前の状態を示す斜視図である。
【図１７】図１７は図１３に示す中継コネクタをシャーシに固定した後の状態を示す断面図である。
【図１８】図１８は図１７に示す中継コネクタにプラグコネクタを接続した後の状態を示す斜視図である。
【図１９】図１９は図１７に示す中継コネクタにプラグコネクタを接続した後の状態を示す斜視図である。
【図２０】図２０はこの発明の第２実施形態の中継コネクタの斜視図である。
【図２１】図２１は図２０に示す中継コネクタの分解斜視図である。
【図２２】図２２は図２０に示す中継コネクタの断面図である。
【図２３】図２３は図２０に示す中継コネクタをシャーシに固定する前の状態を示す斜視図である。
【図２４】図２４は図２０に示す中継コネクタをシャーシに固定する前の状態を示す側面図である。
【図２５】図２５は図２０に示す中継コネクタをシャーシに固定した後の状態を示す側面図である。
【図２６】図２６は図２０に示す中継コネクタにプリント基板を固定する前の状態を示す断面図である。
【図２７】図２７は図２０に示す中継コネクタに一方のプリント基板を接続した状態を示す斜視図である。
【図２８】図２８は図２０に示す中継コネクタに両方のプリント基板を接続した状態を示す断面図である。
【符号の説明】
【０１４５】
１，２０１，３０１  中継コネクタ（コネクタ）
３，２０３，３０３  ハウジング
３１，２３１  ハウジング本体
２３１Ａ  第１ハウジング本体構成部材
２３１Ｂ  第２ハウジング本体構成部材
３１１，２３１１  第１受容部（第１連結部）
３１２，２３１２  第２受容部（第２連結部）
３１１２  挿入部（第１連結部）
３１２２  挿入部（第２連結部）
３３  フック（係合部）
３５  突起部
５，２０５，３３０，３５０  コンタクト
３３５ａ  湾曲部（伸縮部）
７  シャーシ（配置対象物）
７２  孔（被係合部）
８０  第１のプラグコネクタ（第１の接続対象物）
８０´  第２のプラグコネクタ（第２の接続対象物）
１１１０  第１のプリント基板（第１の接続対象物）
１１２０  第２のプリント基板（第２の接続対象物）
【図１】
0004480185.tif 000002
【図２】
0004480185.tif 000003
【図３】
0004480185.tif 000004
【図４】
0004480185.tif 000005
【図５】
0004480185.tif 000006
【図６】
0004480185.tif 000007
【図７】
0004480185.tif 000008
【図８】
0004480185.tif 000009
【図９】
0004480185.tif 000010
【図１０】
0004480185.tif 000011
【図１１】
0004480185.tif 000012
【図１２】
0004480185.tif 000013
【図１３】
0004480185.tif 000014
【図１４】
0004480185.tif 000015
【図１５】
0004480185.tif 000016
【図１６】
0004480185.tif 000017
【図１７】
0004480185.tif 000018
【図１８】
0004480185.tif 000019
【図１９】
0004480185.tif 000020
【図２０】
0004480185.tif 000021
【図２１】
0004480185.tif 000022
【図２２】
0004480185.tif 000023
【図２３】
0004480185.tif 000024
【図２４】
0004480185.tif 000025
【図２５】
0004480185.tif 000026
【図２６】
0004480185.tif 000027
【図２７】
0004480185.tif 000028
【図２８】
0004480185.tif 000029